(57)【特許請求の範囲】
【請求項１】
上下枠材と左右枠材とによって四角形状に枠組みされて形成された枠パネル内に吸音材が内装され、枠パネルの前面側に多数の透孔を有する有孔板が設けられ、有孔板と吸音材との間に吸音材を裏面側に押圧する押え部材が設けられ、枠パネルの裏面側は、吸音材が露出されると共に吸音材が裏面側から脱落するのを防止する桟部材が一個又は複数個上下枠材間に架設され、その桟部材が、又は複数個架設されている場合はその桟部材の少なくとも一個が、上下枠材に対して斜めに架設されてねじり剛性を高める構造材としての機能をも具備させたものであることを特徴とする吸音パネル。
【請求項２】
有孔板と上下枠材とが、又は有孔板と左右枠体とが、又は有孔板と上下枠材及び左右枠体とが一体的に形成されていることを特徴とする請求項１記載の吸音パネル。
【発明の詳細な説明】
【０００１】
【発明の属する技術分野】
本発明は、主として、車両等の走行に伴う騒音を吸音するために、特にトンネル、堀割、半地下道路等の構造体の下面部や壁面、天井面等に取付けられる吸音パネルに関するものである。
【０００２】
【従来の技術】
従来、車両等の走行に伴う騒音を吸音するための吸音パネルとしては設置される場所に応じて数々の形態があり、例えば高速道路や鉄道の沿線等に沿って防音壁として設置されるようになされた吸音パネルとしては、上下枠材と左右枠材とによって四角形状に枠組みされたパネル枠内に吸音材が内装され、パネル枠の前面側に多数の透孔を有する有孔板を配し、裏面側に無孔の遮音板を配したものが一般的に用いられている。前記遮音板は、前面側の有孔板よりパネル枠内に入射した騒音を裏面側から沿線に透過させないためのものである。
【０００３】
又トンネルや堀割、半地下道路等の構造体の下面部や壁面、天井面等に設置されるようになされた吸音パネルは、遮音板によって騒音を裏面側に透過させないようにする必要がないために、遮音板は特に設けられておらず、例えば図６の如く、単に、輸送中及び運搬中に吸音材がパネル枠から脱落しないように、複数の桟部材ａが上下枠材ｂ，ｃ間に垂直に架設されているだけである。そして図示しないが、前面側の有孔板よりパネル枠内に入射した騒音は吸音材により吸音されると共に、一部は前記構造体の下面部や壁面、天井面等で反射して、再び吸音材により吸音されるようになされている。
【０００４】
【発明が解決しようとする課題】
しかしながらかかる遮音板が設けられていない吸音パネルは、長手方向を軸にして回転モーメントが加わると、遮音板が設けられていない分だけねじれやすく不安定であり、輸送中及び運搬中における取扱いが極めて面倒であった。
【０００５】
そこで本発明は裏面側に遮音板を設けていない吸音パネルにおいて、上記の如き問題を解決し、ねじり剛性を高めてねじれにくくした吸音パネルを提供せんとするものである。
【０００６】
【課題を解決するための手段】
本発明者は、裏面側に遮音板を設けていない吸音パネルにおいて、いかにねじれにくくするかを鋭意研究した結果、このねじれ現象を観察すると、ねじれ角が小さいとき、すなわちねじれの初期段階では、図６の如く、上下枠材ｂ，ｃは互いの距離をほぼ一定に保ちながら左右逆方向に平行移動することによりねじれが発生すること、また従来の吸音パネルでは裏面側に上下枠材ｂ，ｃ間に桟部材ａが架設されているが、上下枠材ｂ，ｃに対して桟部材ａが垂直に架設されていると、この上下枠材ｂ，ｃの平行移動を抑制できないこと、この上下枠材の平行移動を抑制するには、上下枠材に対して桟部材を斜めに架設すれば、ねじり剛性が高まり極めて効果的に平行移動を抑制することができること等を知得し、本発明を完成するに至った。
【０００７】
すなわち本発明吸音パネルは、上下枠材と左右枠材とによって四角形状に枠組みされて形成された枠パネル内に吸音材が内装され、枠パネルの前面側に多数の透孔を有する有孔板が設けられ、有孔板と吸音材との間に吸音材を裏面側に押圧する押え部材が設けられ、枠パネルの裏面側は、吸音材が露出されると共に吸音材が裏面側から脱落するのを防止する桟部材が一個又は複数個上下枠材間に架設され、その桟部材が、又は複数個架設されている場合はその桟部材の少なくとも一個が、上下枠材に対して斜めに架設されてねじり剛性を高める構造材としての機能をも具備させたものであることを特徴とするものである。
【０００８】
本発明によれば、裏面側に桟部材が一個又は複数個上下枠材間に架設され、その桟部材が、又は複数個の桟部材が架設されている場合においてはその桟部材の少なくとも一個が、上下枠材に対して斜めに架設されているので、この斜めに架設された桟部材によってねじり剛性が高まり、ねじれにくい。
【０００９】
なお本発明においては、前面側の有孔板と、上下枠材、左右枠材とは別体で形成されていてもよいし、有孔板と上下枠材とが、又は有孔板と左右枠体とが、又は有孔板と上下枠材及び左右枠体とが一体的に形成されていてもよい。
【００１０】
【発明の実施の形態】
次に、本発明の実施の形態について図面を参照し、具体的に説明する。
すなわち図１は本発明の実施の一形態を示す正面図、図２はその背面図、図３はその断面図、図４〜５は本発明の実施の他の形態を示す説明図である。
【００１１】
図面において、１は枠パネルであり、亜鉛鉄板等の金属や合成樹脂等からなる上下枠材１１，１２と取付金具を兼ねる左右枠材１３，１４とが四角形状に枠組みされて形成されたものである。
【００１２】
２は前記枠パネル１内に内装された吸音材であり、使用される吸音材２としては、一般にはグラスウールやロックウールからなるものが好適であるが、アルミニウム等の金属繊維からなるもの、金属繊維をバインダーを介して結合させたもの、金属粉末やセラミック粉末、金属短繊維等を焼結した焼結材からなるもの、また金属発泡材や有機発泡材、無機発泡材等の発泡材からなるもの等であってもよく、特にその種類は限定されるものではない。なお吸音材２は一般には保護フイルムにより周囲が保護された状態で内装される。
【００１３】
３は前記枠パネル１の前面側に設けられた多数の透孔３１を有する有孔板であり、この透孔３１より枠パネル１内に騒音が入射され、枠パネル１内の吸音材２により吸音されるようになされている。なお有孔板３は、一般には金属板から形成され、特に軽量化のためにアルミニウム合金板等から形成される。なお３２は吸音材２を裏面側に押圧する押え部材である。又本形態では、前面側の有孔板３と、上下枠材１１，１２、左右枠材１３，１４とは別体で形成されているが、有孔板３と上下枠材１１，１２とが、又は有孔板３と左右枠体１３，１４とが、又は有孔板３と上下枠材１１，１２及び左右枠体１３，１４とが一体的に形成されていてもよい。
【００１４】
４は枠パネル１の裏面側に設けられた桟部材であり、本形態では三個が全て上下枠材１１，１２間に、上下枠材１１，１２に対して斜めにブラインドリベット等により架設されている。この桟部材４により、吸音材２が裏面側から脱落するのを防止すると共に、斜めに架設することによりねじり剛性を高めている。なお前記桟部材４は、吸音材２の脱落を防止する機能と、ねじり剛性を高める構造材としての機能とを具備させており、桟部材４に構造材としての機能を具備させるために、桟部材４は強度的に優れた亜鉛鉄板等の金属が好適に使用されるが、成形性且つ耐蝕性のよいアルミニウム合金や合成樹脂等から形成されていてもよい。
【００１５】
なお本形態では、桟部材４は三個架設され、それらが全て斜めに架設されているが、桟部材４は一個でもよく、又複数個であってもよいが、少なくとも一個を斜めに架設する必要があり、かようになされていれば桟部材４の個数及び斜めに架設する桟部材４の個数は特に限定されるものではなく、例えば図４の如く桟部材４を三個架設し、その一個を垂直に架設し、残りの二個を斜めに架設してもよく、又図５の如く、桟部材４を三個架設し、左右の二個を垂直に架設し、残りの一個を斜めに架設してもよい。
【００１６】
なお桟部材が垂直に複数個架設された従来の吸音パネルを本発明に係る吸音パネルにする場合は、その複数の桟部材の少なくとも一個を取り外して斜めに架設し直してもよいし、新たに斜めの桟部材４を少なくとも一個追加架設することにより行うことができる。
【００１７】
【発明の効果】
本発明によれば、裏面側に桟部材が一個又は複数個上下枠材間に架設され、その桟部材が、又は複数個の桟部材が架設されている場合においてその桟部材の少なくとも一個が、上下枠材に対して斜めに架設されているので、この斜めに架設された桟部材によってねじり剛性が高まり、ねじれにくい。
【図面の簡単な説明】
【図１】本発明の実施の一形態を示す正面図である。
【図２】図１の背面図である。
【図３】図１の断面図である。
【図４】本発明の実施の他の形態を示す説明図である。
【図５】本発明の実施のさらに他の形態を示す説明図である。
【図６】従来の吸音パネルを示す説明図である。
【符号の説明】
１    枠パネル
１１  上枠材
１２  下枠材
１３  左枠材
１４  右枠材
２    吸音材
３    有孔板
３１  透孔
３２  押え部材
４    桟部材
【図１】
0003647252.tif 000002
【図２】
0003647252.tif 000003
【図３】
0003647252.tif 000004
【図４】
0003647252.tif 000005
【図５】
0003647252.tif 000006
【図６】
0003647252.tif 000007